(57)【要約】【課題】メンテナンスし易いヘッド回復ユニット及び同ユニットが回復する記録ヘッドを備える記録装置を提供すること。【解決手段】ヘッド回復ユニット３０は、インクが吐出される記録ヘッド１８の吐出面２０をキャッピングするキャップ３１と、記録ヘッドをキャッピングしているキャップ内を吸引するポンプ部３２と、ポンプ部により記録ヘッドから吸引されたインクを貯留する液体貯留部３３とを備えるヘッド回復ユニットであって、キャップ、ポンプ部及び液体貯留部は、記録ヘッドが取り付けられる筐体１２の外部において筐体とは独立して設けられている。【選択図】図４
2017105058.tif 000002
【特許請求の範囲】
【請求項１】
液体が吐出される記録ヘッドの吐出面をキャッピングするキャップと、前記記録ヘッドをキャッピングしている前記キャップ内を吸引するポンプ部と、前記ポンプ部により前記記録ヘッドから吸引された液体を貯留する液体貯留部とを備えるヘッド回復ユニットであって、
前記キャップ、前記ポンプ部及び前記液体貯留部は、前記記録ヘッドが取り付けられる筐体の外部において前記筐体とは独立して設けられていることを特徴とするヘッド回復ユニット。
【請求項２】
前記キャップ、前記ポンプ部及び前記液体貯留部は、一体的に形成されていることを特徴とする請求項１に記載のヘッド回復ユニット。
【請求項３】
前記ポンプ部は、吸引する際に駆動する電動のモーターと、当該モーターに給電可能な給電部材とを有することを特徴とする請求項１又は請求項２に記載のヘッド回復ユニット。
【請求項４】
前記ポンプ部は、当該ポンプ部が手動で駆動される手動機構を備えることを特徴とする請求項１又は請求項２に記載のヘッド回復ユニット。
【請求項５】
請求項１乃至請求項４のうち何れか一項に記載のヘッド回復ユニットと、
筐体と、
筐体内に設けられ、吐出面から液体を吐出することで媒体に記録を行う記録ヘッドと、
前記記録ヘッドが着脱可能に搭載され、前記筐体内を往復移動可能に設けられるキャリッジと、
前記記録ヘッドに供給される液体を収容可能な液体収容体と、
前記液体収容体と前記記録ヘッドを接続するチューブと、を備え、
前記液体収容体は、前記筐体の外部において前記ヘッド回復ユニットと一体的に形成されていることを特徴とする記録装置。
【請求項６】
前記液体収容体は、液体を注入可能な注入口を有することを特徴とする請求項５に記載の記録装置。
【請求項７】
前記チューブの一部を前記筐体に固定する固定部材を備えることを特徴とする請求項５又は請求項６に記載の記録装置。
【請求項８】
前記チューブは、前記記録ヘッドに対して着脱可能に設けられていることを特徴とする請求項５乃至請求項７のうち何れか一項に記載の記録装置。
【発明の詳細な説明】
【技術分野】
【０００１】
本発明は、例えばインクジェット式プリンターなどの記録装置及び同装置が備える記録ヘッドを回復するヘッド回復ユニットに関する。
【背景技術】
【０００２】
従来から、媒体上を往復移動可能に設けられるキャリッジに搭載されたヘッドから液体の一例であるインクを吐出することで媒体に記録を行うインクジェット式のプリンターが知られている。このようなプリンターの中には、キャリッジに対してヘッドが着脱可能に設けられたものがある（例えば特許文献１）。
【先行技術文献】
【特許文献】
【０００３】
【特許文献１】特開２００６−６８９９４号公報
【発明の概要】
【発明が解決しようとする課題】
【０００４】
ところで、特許文献１に記載のプリンターは、ヘッドにおけるインクの吐出特性を良好に維持するヘッド回復手段を備えている。このようなヘッド回復手段は、一般的に、ヘッドにおいてインクが吐出される吐出面をキャッピングするキャップと、キャッピングされたヘッドからインクを吸引する吸引ポンプとを含んで構成されている。しかし、ヘッド回復手段は、ヘッドをキャッピングすべく、往復移動するキャリッジと対向可能な位置に設けられるため、ヘッド回復手段そのものをメンテナンスし難いという実情がある。
【０００５】
本発明は、上記実情に鑑みてなされたものであり、その目的は、メンテナンスし易いヘッド回復ユニット及び同ユニットが回復する記録ヘッドを備える記録装置を提供することにある。
【課題を解決するための手段】
【０００６】
以下、上記課題を解決するための手段及びその作用効果について記載する。
上記課題を解決するヘッド回復ユニットは、液体が吐出される記録ヘッドの吐出面をキャッピングするキャップと、前記記録ヘッドをキャッピングしている前記キャップ内を吸引するポンプ部と、前記ポンプ部により前記記録ヘッドから吸引された液体を貯留する液体貯留部とを備えるヘッド回復ユニットであって、前記キャップ、前記ポンプ部及び前記液体貯留部は、前記記録ヘッドが取り付けられる筐体の外部において前記筐体とは独立して設けられている。
【０００７】
この構成によれば、例えば記録ヘッドが筐体から着脱可能に設けられる場合に、その筐体の外部においてヘッド回復ユニットにより記録ヘッドを回復させることが可能である。そして、ヘッド回復ユニット自体についても、筐体の外部に配置することで、メンテナンスし易いヘッド回復ユニットとすることができる。
【０００８】
上記ヘッド回復ユニットにおいて、前記キャップ、前記ポンプ部及び前記液体貯留部は、一体的に形成されていることが好ましい。
この構成によれば、キャップ、ポンプ部及び液体貯留部を一箇所にまとめることができ、キャップ、ポンプ部及び液体貯留部を併せてメンテナンスし易くできる。
【０００９】
上記ヘッド回復ユニットにおいて、前記ポンプ部は、吸引する際に駆動する電動のモーターと、当該モーターに給電可能な給電部材とを有することが好ましい。
この構成によれば、ユーザーが手動でポンプ部を駆動させる構成に比べて、容易に液体を吸引できる。
【００１０】
上記ヘッド回復ユニットにおいて、前記ポンプ部は、当該ポンプ部が手動で駆動される手動機構を備えることが好ましい。
この構成によれば、ポンプ部が電動で駆動する構成と比較して、消費電力を低減できる。
【００１１】
また、上記課題を解決する記録装置は、上記構成のヘッド回復ユニットと、筐体と、筐体内に設けられ、吐出面から液体を吐出することで媒体に記録を行う記録ヘッドと、前記記録ヘッドが着脱可能に搭載され、前記筐体内を往復移動可能に設けられるキャリッジと、前記記録ヘッドに供給される液体を収容可能な液体収容体と、前記液体収容体と前記記録ヘッドを接続するチューブと、を備え、前記液体収容体は、前記筐体の外部において前記ヘッド回復ユニットと一体的に形成されている。
【００１２】
この構成によれば、記録ヘッドを回復するヘッド回復ユニットを筐体の外部に配置することで、ヘッド回復ユニット自体をメンテナンスし易くできる。
上記記録装置において、前記液体収容体は、液体を注入可能な注入口を有することが好ましい。
【００１３】
この構成によれば、注入口を介して液体を注入することで、液体収容体を交換することなく継続して使用することができる。
上記記録装置においては、前記チューブの一部を前記筐体に固定する固定部材を備えることが好ましい。
【００１４】
この構成によれば、固定部材によりチューブを筐体に固定できる。
上記記録装置において、前記チューブは、前記記録ヘッドに対して着脱可能に設けられていることが好ましい。
【００１５】
この構成によれば、記録ヘッドをキャリッジから取り外す際に併せてチューブを取り外すことで、記録ヘッドの使い勝手を向上できる。
【図面の簡単な説明】
【００１６】
【図１】実施形態における記録装置の構成及びヘッド回復ユニットを概略的に示す正面図。
【図２】ヘッド回復ユニットの構成を概略的に示す断面図。
【図３】記録ヘッドが回復される際の記録装置及びヘッド回復ユニットを概略的に示す正面図。
【図４】記録装置から取り外された記録ヘッドを回復する際のヘッド回復ユニットを概略的に示す断面図。
【図５】ヘッド回復ユニットを一体的に備える記録装置を概略的に示す正面図。
【図６】ヘッド回復ユニットの変形例を概略的に示す断面図。
【図７】ヘッド回復ユニットの他の変形例を概略的に示す断面図。
【図８】チューブの変形例を示す断面図。
【図９】チューブの他の変形例を示す断面図。
【図１０】チューブの他の変形例を示す断面図。
【発明を実施するための形態】
【００１７】
以下、記録装置の一実施形態として、液体の一例であるインクを吐出することで媒体に文字や画像の記録を行う記録ヘッドを備えるインクジェット式プリンター、及びこの記録ヘッドをメンテナンスするヘッド回復ユニットについて図を参照して説明する。
【００１８】
図１に示すように、記録装置１１は、略直方体となる筐体１２を有している。筐体１２は、その上部が開閉可能なカバー１３で構成され、カバー１３を開くことで筐体１２の内部が露出可能とされている。そして、この筐体１２の外部には、記録装置１１とは別に独立して設けられたヘッド回復ユニット３０が配置されている。
【００１９】
記録装置１１は、筐体１２の内部において、媒体の一例である用紙Ｐを鉛直方向の下側から支持する支持台１４と、支持台１４に支持される用紙Ｐに記録を行う記録部１５とを備えている。支持台１４は、筐体１２の下部であって、筐体１２の長手方向となる左右方向において中央から左側に亘って設けられている。一方、記録部１５は、筐体１２の長手方向に延びるガイド軸１６に沿って支持台１４の上方を往復移動可能なキャリッジ１７と、キャリッジ１７に着脱可能に搭載される記録ヘッド１８とを備えている。この記録ヘッド１８の下面には、インクが吐出されるノズル１９が複数設けられている。すなわち、記録ヘッド１８の下面は、インクが吐出される吐出面２０とされている。そして、これらのノズル１９からは、それぞれ対応するインクが吐出される。本実施形態においては、シアン、マゼンタ、イエロー、ブラックの四色が、対応する各ノズル１９から吐出される。すなわち、記録部１５は、ガイド軸１６に沿って移動するキャリッジ１７に搭載された記録ヘッド１８が、用紙Ｐに向けてインクを吐出することで用紙Ｐに記録を行う。なお、記録ヘッド１８は、インクをそれぞれ収容する液体収容室をその内部に備え、液体収容室に収容されているインクがノズル１９から吐出される。
【００２０】
また、筐体１２の内部であって、その上部には、記録ヘッド１８が吐出する予定のインクを収容する液体収容体（例えばインクタンク）２１が設けられている。すなわち、この液体収容体２１は、インクを導出可能なチューブ２２を介して記録ヘッド１８と接続され、記録ヘッド１８の液体収容室に向けてインクを供給する。なお、本実施形態における液体収容体２１は、記録ヘッド１８との水頭差を利用して記録ヘッド１８にインクを供給する。また、液体収容体２１は、その内部にインクを注入可能な注入口２３を有している。なお、本実施形態における液体収容体２１及びチューブ２２は、記録ヘッド１８が吐出するインクの色数に対応してそれぞれ四個ずつ設けられている。すなわち、液体収容体２１はそれぞれ異なる色のインクを収容し、チューブ２２にはそれぞれ異なる色のインクが流れる。
【００２１】
記録ヘッド１８と液体収容体２１とを接続するチューブ２２は、可撓性を有する部材で構成され、ガイド軸１６に沿うキャリッジ１７の移動に追従可能に設けられている。また、チューブ２２は、記録ヘッド１８と接続される一端が、記録ヘッド１８に対して着脱自在に設けられ、液体収容体２１と接続される他端側寄りの一部分が、固定部材としてのクランプ２４により筐体１２に固定されている。なお、本実施形態における複数のチューブ２２は、それぞれ同一種類のものが用いられ、チューブ２２の形状がそれぞれ略同一となっている。
【００２２】
液体収容体２１の下方であって、支持台１４と隣り合う位置には、記録ヘッド１８のノズル１９におけるインクの乾燥を抑制する乾燥抑制部２５が設けられている。この乾燥抑制部２５は、記録ヘッド１８の吐出面２０と接触するキャップ２６と、鉛直方向にキャップ２６を昇降可能な昇降機構２７を備えている。すなわち、乾燥抑制部２５は、キャリッジ１７により左右方向に移動される記録ヘッド１８と対向可能に設けられ、昇降機構２７により上昇されるキャップ２６が記録ヘッド１８の吐出面２０をキャッピングすることで、インクの乾燥を抑制し、ノズル１９の目詰まりを抑制する。
【００２３】
ここで、キャッピングとは、キャップ２６が記録ヘッド１８の吐出面２０に接触することにより、吐出面２０が臨む閉空間を形成することを指す。キャップ２６が形成する閉空間としては、吐出面２０とキャップ２６とで囲まれる空間とその外部の空間との間で、例えば空気やインク滴などの流体の出入りを遮断した状態、すなわち吐出面２０とキャップ２６とで囲まれる空間を密閉した状態が好ましい。しかし、本実施形態における閉空間とは、このように流体の出入りを遮断した状態だけに限らず、流体の出入りを許容した状態、すなわち吐出面２０とキャップ２６とで囲まれる空間を密閉していない状態であってもよい。
【００２４】
なお、記録装置１１には、この記録装置１１に給電可能な電源プラグ２８が筐体１２から延びて設けられている。電源プラグ２８を介して記録装置１１に給電することで、記録部１５や乾燥抑制部２５など、記録装置１１を構成する種々の部材が駆動される。
【００２５】
図２に示すように、ヘッド回復ユニット３０は、キャリッジ１７から取り外された記録ヘッド１８をキャッピング可能なキャップ３１と、キャッピングにより形成される閉空間を吸引するポンプ部３２と、ポンプ部３２により吸引されたインクを貯留する液体貯留部３３とを備えている。このうち、ポンプ部３２と液体貯留部３３は、箱形状をなす枠体３４によって一体的に形成され、この枠体３４の上部にキャップ３１が装着されている。すなわち、ヘッド回復ユニット３０は、キャップ３１、ポンプ部３２及び液体貯留部３３を一体的に取り扱い可能に構成されている。
【００２６】
キャップ３１は、乾燥抑制部２５が備えるキャップ２６とは異なり、キャッピングの際に記録ヘッド１８と対向するキャップ３１の内底面３５を貫通する吸引孔３６と、鉛直方向において内底面３５とは反対側の面から下方に向けて突出するとともに吸引孔３６が開口する突出部３７とを有している。ポンプ部３２は、一端がキャップ３１の突出部３７に接続され、他端が液体貯留部３３に向けて延びる吸引管３８と、吸引管３８の途中に配置されるチューブポンプ３９とを備えている。また、ポンプ部３２は、チューブポンプ３９を駆動させるためのモーター４０と、このモーター４０に給電可能な電源プラグ（給電部材）４１とを備えている。そして、液体貯留部３３は、その内部にインクを吸収可能な吸収材４２を備えている。すなわち、ヘッド回復ユニット３０は、ポンプ部３２が、記録ヘッド１８をキャッピングするキャップ３１内を吸引することによりノズル１９からインクを吸引する。
【００２７】
一般的に、液体を吐出することで記録を行う記録ヘッド１８においては、例えばノズル１９内のインクの粘度が上昇したり、用紙Ｐの紙粉などがノズル１９内に進入したりするなどして、その吐出特性が低下してしまい記録品質に影響を及ぼしてしまうことが懸念されている。そのため、ヘッド回復ユニット３０により、記録装置１１が備える記録ヘッド１８のノズル１９から勢いよくインクを吐出させることで、そうした異物を除去する。すなわち、ヘッド回復ユニット３０は、記録ヘッド１８のメンテナンスを行い、記録ヘッド１８の吐出特性を維持乃至回復させる。そして、ポンプ部３２によりノズル１９から吸引されたインクは、キャップ３１の吸引孔３６及びポンプ部３２の吸引管３８を通じて液体貯留部３３の吸収材４２に吸収される。
【００２８】
次に、上記のように構成された記録装置１１が備える記録ヘッド１８をメンテナンスするヘッド回復ユニット３０の作用について説明する。
図３及び図４に示すように、ヘッド回復ユニット３０により記録ヘッド１８の吐出特性を回復させる際には、キャリッジ１７に搭載された記録ヘッド１８を、カバー１３の開放により露出された筐体１２の上部から取り出し、筐体１２の外部に配置されたヘッド回復ユニット３０の上部に載置させる。このとき、キャリッジ１７から取り外された記録ヘッド１８は、チューブ２２も取り外された状態でヘッド回復ユニット３０が備えるキャップ３１によりキャッピングされる。
【００２９】
ここで、ポンプ部３２の駆動により記録ヘッド１８のノズル１９からインクを吸引する際には、インクがキャップ３１の内底面３５に向けて吐出されるため、吐出されたインクの一部がキャップ３１に固着してしまうことが有り得る。また、ポンプ部３２に吸引されるインクの量が、液体貯留部３３が備える吸収材４２の飽和量に達してしまうことも有り得る。そのため、キャップ３１や吸収材４２を交換するなどしてヘッド回復ユニット３０そのものをメンテナンスすることもまた、記録ヘッド１８の吐出特性を維持するために重要である。そこで、本実施形態におけるヘッド回復ユニット３０は、記録装置１１の筐体１２外部に配置されている。すなわち、記録ヘッド１８が取り付けられる筐体１２の外部にヘッド回復ユニット３０を配置することで、記録装置１１の筐体１２内部に設ける構成と比較して、ユーザーがヘッド回復ユニット３０の状態を視認し易く、メンテナンスを行い易い。
【００３０】
上記実施形態によれば、以下のような効果を得ることができる。
（１）例えば記録ヘッド１８が筐体１２から着脱可能に設けられる場合に、その筐体１２の外部においてヘッド回復ユニット３０により記録ヘッド１８を回復させることが可能である。そして、ヘッド回復ユニット３０自体についても、筐体１２の外部に配置することで、メンテナンスし易いヘッド回復ユニット３０とすることができる。
【００３１】
（２）キャップ３１、ポンプ部３２及び液体貯留部３３を一体的に形成することで、これらを一箇所にまとめることができ、キャップ３１、ポンプ部３２及び液体貯留部３３を併せてメンテナンスし易くできる。
【００３２】
（３）ポンプ部３２を電動の構成とすることで、ユーザーが手動でポンプ部３２を駆動させる構成に比べて、容易にインクを吸引できる。
なお、上記実施形態は以下のように変更してもよい。また、上記実施形態に対して以下の変更例は、適宜組み合わせてもよい。
【００３３】
・上記実施形態において、キャリッジ１７から取り外された記録ヘッド１８が、チューブ２２が接続されたままの状態でヘッド回復ユニット３０が備えるキャップ３１にキャッピングされる構成でもよい。この構成における記録ヘッド１８は、ヘッド回復ユニット３０によりインクが吸引されるとともに液体収容体２１からインクが供給される。
【００３４】
・図５に示すように、上記実施形態において、記録装置１１の筐体１２外部に配置される液体収容体２１にヘッド回復ユニット３０を取り付けることで、ヘッド回復ユニット３０を備える記録装置１１としてもよい。すなわち、ヘッド回復ユニット３０が、液体収容体２１と一体的に形成されることで、ヘッド回復ユニット３０及び液体収容体２１は一体的に取り扱い可能に設けられている。この変更例においては、筐体１２外部に配置される液体収容体２１から延びるチューブ２２が、筐体１２に開口する孔５１を介して筐体１２内部に設けられる記録ヘッド１８に接続されている。また、このチューブ２２は、一端側と他端側との間となる中間部分がクランプ２４により筐体１２に固定されている。なお、チューブ２２は、図５において二点鎖線で示すように、記録ヘッド１８に対して着脱可能である。
【００３５】
この変更例によれば、上記実施形態の効果に加えて以下の効果が得られる。
（４）記録ヘッド１８を回復するヘッド回復ユニット３０を筐体１２の外部に配置することで、ヘッド回復ユニット３０自体をメンテナンスし易くできる。
【００３６】
（５）注入口２３を介してインクを注入することで、液体収容体２１を交換することなく継続して使用することができる。
（６）クランプ２４によりチューブ２２を筐体１２に固定できる。
【００３７】
（７）記録ヘッド１８をキャリッジ１７から取り外す際に併せてチューブ２２を取り外すことで、記録ヘッド１８の使い勝手を向上できる。
・図６に示すように、上記実施形態において、ヘッド回復ユニット３０は、枠体３４により一体的に形成される構成に限らず、それぞれ独立して配置可能な構成としてもよい。
【００３８】
・図７に示すように、上記実施形態において、ヘッド回復ユニット３０が備えるポンプ部３２は、枠体３４から延びるハンドル５２を介してチューブポンプ３９を駆動させる手動機構５３を有する構成でもよい。この手動機構５３は、例えばギヤなどで構成される。また、ハンドル５２は、レバーやペダルに変更してもよい。
【００３９】
この変更例によれば、上記実施形態の効果に加えて以下の効果が得られる。
（８）ポンプ部３２が電動で駆動する構成と比較して、消費電力を低減できる。
・図８、図９及び図１０に示すように、上記実施形態において、液体収容体２１と記録ヘッド１８とを接続するチューブ２２は、例えばインクの溶媒の種類や色に応じてそれぞれ適した形状のチューブ２２を採用してもよい。例えば、図８に示すように、引き揃えられた四本のチューブ２２のうち、一本のチューブ２２の内径が、他の三本のチューブ２２と比較して大きくなるよう設けてもよい。なお、これらのチューブ２２の外径は何れも同一である。チューブ２２において、インクの流路５４を構成する内径を大きくすることで、流路５４を流れるインクの流量が多くなる。すなわち、記録ヘッド１８に供給されるインクの供給量をチューブ２２ごとに変更できる。例えば、記録ヘッド１８のノズル１９の数や、インクの消費頻度に合わせて適した流路５４を有するチューブ２２を採用することで、安定的にインクを供給することが可能となる。また、図９に示すように、引き揃えられた四本のチューブ２２のうち、両外側に位置する二本のチューブ２２の外径が、内側に位置する二本のチューブ２２と比較して大きくなるよう設けてもよい。なお、これらのチューブ２２の内径は何れも同一である。すなわち、両外側に位置する二本のチューブ２２は、内側に位置する二本のチューブ２２と比較して厚みが大きく設けられている。チューブ２２の厚みを大きくすることで、例えば蒸発し易い溶媒を用いるインクを供給する場合に、その溶媒の蒸発を抑制でき、インクの粘度上昇を抑制できる。また、図１０に示すように、液体収容体２１と記録ヘッド１８とを接続する複数のチューブ２２を、複数の流路５４を有する多連チューブ５５に変更してもよい。また、液体収容体２１と記録ヘッド１８とを接続するチューブ２２の本数は、インクの種類数に応じて適宜変更してもよく、その形状も適宜変更してよい。
【００４０】
・上記実施形態において、キャリッジ１７から取り外された記録ヘッド１８をヘッド回復ユニット３０によりメンテナンスする際、チューブ２２が取り外されなくともよい。チューブ２２を長尺のものとすれば、チューブ２２を取り外すことなくヘッド回復ユニット３０の上部に載置することができ、チューブ２２を着脱する手間を省くことができる。
【００４１】
・上記実施形態において、チューブ２２を固定する固定部材は、クランプ２４に限らず、フックなどであってもよい。
・上記実施形態において、液体収容体２１は、注入口２３を有しない交換式のインクカートリッジやインクパックでもよい。
【００４２】
・上記実施形態において、液体収容体２１は、例えばダイヤフラムなどのポンプにより記録ヘッド１８にインクを供給する構成であってもよい。
・上記実施形態において、ポンプ部３２が備える給電部材としての電源プラグ４１は、例えば電池で構成されていてもよい。
【００４３】
・上記実施形態において、ポンプ部３２が備えるチューブポンプ３９は、例えばダイヤフラムポンプやギヤポンプなどに変更してもよい。
・上記実施形態において、記録装置１１により記録される媒体は、用紙Ｐに限らず、布帛やプラスチックフィルムなどでもよい。
【００４４】
・上記実施形態において、記録装置１１は、インク以外の他の流体（液体や、機能材料の粒子が液体に分散又は混合されてなる液状体、ゲルのような流状体を含む）を噴射したり吐出したりして記録を行う流体噴射装置であってもよい。例えば、液晶ディスプレイ、ＥＬ（エレクトロルミネッセンス）ディスプレイ及び面発光ディスプレイの製造などに用いられる電極材や色材（画素材料）などの材料を分散または溶解のかたちで含む液状体を噴射して記録を行う液状体噴射装置であってもよい。また、ゲル（例えば物理ゲル）などの流状体を噴射する流状体噴射装置であってもよい。そして、これらのうちいずれか一種の流体噴射装置に本発明を適用することができる。なお、本明細書において「流体」とは、気体のみからなる流体を含まない概念であり、流体には、例えば液体（無機溶剤、有機溶剤、溶液、液状樹脂、液状金属（金属融液）等を含む）、液状体、流状体などが含まれる。
【符号の説明】
【００４５】
１１…記録装置、１２…筐体、１７…キャリッジ、１８…記録ヘッド、１９…ノズル、２０…吐出面、２１…液体収容体、２２…チューブ、２３…注入口、２４…クランプ（固定部材）、３０…ヘッド回復ユニット、３１…キャップ、３２…ポンプ部、３３…液体貯留部、３４…枠体、３５…内底面、３６…吸引孔、３７…突出部、３８…供給管、３９…チューブポンプ、４０…モーター、４１…電源プラグ（給電部材）、４２…吸収材、Ｐ…用紙。
【図１】
2017105058.tif 000003
【図２】
2017105058.tif 000004
【図３】
2017105058.tif 000005
【図４】
2017105058.tif 000006
【図５】
2017105058.tif 000007
【図６】
2017105058.tif 000008
【図７】
2017105058.tif 000009
【図８】
2017105058.tif 000010
【図９】
2017105058.tif 000011
【図１０】
2017105058.tif 000012